(57)【要約】【課題】  調理室内部で回転及び直線往復運動可能に設けられたトレーの回転及び直線往復運動がより円滑に行われる電子レンジを提供する。【解決手段】  本発明による電子レンジは、トレーと調理室底との間に設けられて前記トレーを支持し、前記直線往復運動方向に沿って前記トレーと共に移動する直線案内部材を備え、該直線案内部材によって、トレーの回転運動と直線往復運動間には相互干渉が生じなく、結果としてトレーのより円滑な回転及び直線往復運動が可能になる。【選択図】      図２
2006003068.tif 000002
【特許請求の範囲】
【請求項１】
調理室と、
前記調理室に回転及び直線往復運動可能に設置されたトレーと、
前記トレーと前記調理室底との間に設けられて前記トレーを支持し、直線往復運動方向に沿って前記トレーと共に移動する直線案内部材と、
を備えることを特徴とする電子レンジ。
【請求項２】
輪が、前記直線案内部材と前記調理室底との間に備えられたことを特徴とする請求項１に記載の電子レンジ。
【請求項３】
前記輪は、前記直線案内部材に取り付けられ、
前記輪の移動を案内する少なくとも一つの直線レール部が、前記調理室の底に形成されたことを特徴とする請求項２に記載の電子レンジ。
【請求項４】
前記トレーと前記直線案内部材との間に設けられ、前記回転運動方向に沿ってトレーと共に移動する回転案内部材をさらに備え、該回転案内部材は、前記トレーとの間に設けられる第２輪を含むことを特徴とする請求項１に記載の電子レンジ。
【請求項５】
前記直線案内部材は、前記第２輪の移動を案内する回転レール部を備えることを特徴とする請求項４に記載の電子レンジ。
【請求項６】
調理室の底に形成された長空と、トレーに結合される第１端及び前記長空を通って延在する第２端を有するシャフトと、前記調理室外部に設置され、前記シャフトを前記長空に沿って回転及び直線往復運動させる駆動部とを備え、前記調理室に設置される前記トレーを回転及び直線往復運動させる駆動装置と;
前記シャフトが貫通する貫通穴が形成され、前記トレーと前記調理室底との間に設けられて前記トレーを支持し、前記直線往復運動方向に沿って前記トレーと共に移動する直線案内部材とを備えることを特徴とする電子レンジ。
【請求項７】
輪が、前記直線案内部材と前記調理室底との間に備えられることを特徴とする請求項６に記載の電子レンジ。
【請求項８】
前記輪は、前記直線案内部材に取り付けられ、
前記輪の移動を案内する少なくとも一つの直線レール部が、前記調理室の底に形成されることを特徴とする請求項７に記載の電子レンジ。
【請求項９】
前記トレーと前記直線案内部材との間に設けられ、前記回転運動方向に沿ってトレーと共に移動する回転案内部材をさらに備え、該回転案内部材は、前記トレーとの間に設けられる第２輪を含むことを特徴とする請求項６に記載の電子レンジ。
【請求項１０】
前記直線案内部材は、前記第２輪の移動を案内する回転レール部を備えることを特徴とする請求項９に記載の電子レンジ。
【請求項１１】
前記回転案内部材は、前記シャフトが内部に位置するように構成された回転リングをさらに備え、該回転リングの外周には前記第２輪が結合されることを特徴とする請求項９に記載の電子レンジ。
【請求項１２】
複数の前記輪が、前記長空の各側に備えられることを特徴とする請求項７に記載の電子レンジ。
【請求項１３】
複数の前記直線レール部が、前記長空の長さ方向と平行に延設されることを特徴とする請求項８に記載の電子レンジ。
【請求項１４】
少なくとも一つの前記直線レール部が前記長空の各側に設けられ、該当の各直線レール部に複数の輪が備えられることを特徴とする請求項１３に記載の電子レンジ。
【発明の詳細な説明】
【技術分野】
【０００１】
本発明は、電子レンジに関し、より詳細には、食べ物が置かれるように調理室の底に設置されるトレーを、回転及び直線往復運動させ、食べ物がより均一に調理されるようにした電子レンジに関する。
【背景技術】
【０００２】
一般に、電子レンジは、マグネトロンから生成される高周波を調理室の内部へ放射して食べ物中の水分の分子配列を反復変換させ、この時に発生する分子間の摩擦熱により食べ物が調理されるようにする機構である。
【０００３】
かかる電子レンジは、外観をなす本体を備え、本体の内部空間は、直方体状の内部ケースにより内部ケース内側の調理室と内部ケース外側の電装室とに区画される。
【０００４】
調理室内部の底には、調理する食べ物が置かれた状態で回転するようにトレーが設けられ、該トレーは、前記内部ケースの外部下面に設置されたモーターによって回転する。また電装室には、高周波を発振させて調理室内へ放射するマグネトロンと、マグネトロンに高電圧を印加する高圧トランス及び高圧コンデンサーなどが設置される。
【０００５】
このような構造を有する電子レンジを作動させると、マグネトロンから生成された高周波が調理室内部へ放射され、この高周波が、トレーと共に回転する食べ物に照射されつつ食べ物が調理される。
【０００６】
しかしながら、この種の従来の電子レンジは、トレーが調理室の底上の所定位置の固定された点に対して回転運動だけするため、食べ物を均一に調理するには限界があった。
【０００７】
この問題点を解決すべく、本出願人は、下記特許文献１で、トレーを回転及び直線往復運動させ、トレー上の食べ物がより均一に調理されるようにする電子レンジを開示した。
【０００８】
この電子レンジは、調理室の底に形成された長穴と、上端がトレーの下面に結合され、下端が該長穴を通って調理室の外部に延在するシャフトと、調理室外側シャフトの外面に形成されたピニオンと、ピニオンと噛み合うようにラックが形成され、調理室の下部に固定されるガイド部材と、シャフトの一端にヒンジ式に連結される第１端部と、可動端となる第２端部とを有する第１リンクと、第１リンクの第２端部にヒンジ式に連結される第１端部と、調理室の下部に設置されたモーターの回転軸に固定される第２端部とを有する第２リンクとを備える。
【０００９】
このような構成により、モーターの回転軸と共に第２リンクが一方向に回転すると、ピニオンがラックに沿って正方向または逆方向に回転しながら、第１リンクがモーター側に引き付けられたり反対側に押し付けられたりし、これにより、シャフトは長穴内で回転及び直線往復運動をする。この結果、トレーは、シャフトと共に調理室の底上で回転すると同時に直線往復運動し、このようなトレーの移動によって、トレー上の食べ物はより均一に調理されるようになる。
【００１０】
また、上記の従来電子レンジにおいて、トレーと調理室底との間にはトレーと調理室底間の摩擦抵抗を減らしてトレーの回転及び直線往復運動が円滑となるように、摩擦係数の小さな材質からなるすべり部材が設置される。
【００１１】
しかしながら、従来の電子レンジは、トレーがすべり部材に面接触された状態で回転及び直線往復運動をするようになっているため、トレーの回転運動と直線往復運動間に相互干渉が生じ、トレーを円滑に駆動させるのに限界があった。また、このようにトレーが調理室の底側に面接触された状態では、重い食べ物がトレーに置かれた場合のようにトレーから調理室の底側に大きい荷重が加えられる際に、トレーと調理室底間に摩擦力も大幅に増加するため、トレーの回転及び直線往復運動が円滑に行われないという問題点があった。
【特許文献１】大韓民国登録特許公報第１０−０４２３９９３号
【発明の開示】
【発明が解決しようとする課題】
【００１２】
本発明は、上記事情に鑑みてなされたものであり、その目的は、トレーの回転及び直線往復運動がより円滑に行われる電子レンジを提供することにある。
【課題を解決するための手段】
【００１３】
上記目的を達成するために、本発明の一側面による電子レンジは、調理室と、前記調理室に回転及び直線往復運動可能に設置されたトレーと、前記トレーと前記調理室底との間に設けられて前記トレーを支持し、直線往復運動方向に沿って前記トレーと共に移動する直線案内部材とを備えることを特徴とする。
【００１４】
また、本発明の他の側面による電子レンジは、調理室の底に形成された長空と、トレーに結合される第１端及び前記長空を通って延在する第２端を有するシャフトと、前記調理室外部に設置され、前記シャフトを前記長空に沿って回転及び直線往復運動させる駆動部とを備え、前記調理室に設置されるトレーを回転及び直線往復運動させる駆動装置と;前記シャフトが貫通する貫通穴が形成され、前記トレーと前記調理室底との間に設けられて前記トレーを支持し、前記直線往復運動方向に沿って前記トレーと共に移動する直線案内部材とを備えることを特徴とする。
【００１５】
前記直線案内部材と前記調理室底との間には輪が備えられることを特徴とする。
【００１６】
また、前記輪は、前記直線案内部材に取り付けられ、前記輪の移動を案内する少なくとも一つの直線レール部が、前記調理室の底に形成されることを特徴とする。
【００１７】
前記電子レンジは、前記トレーと前記直線案内部材との間に設けられ、前記回転運動方向に沿ってトレーと共に移動する回転案内部材をさらに備え、該回転案内部材は、前記トレーとの間に設けられる第２輪を含むことを特徴とする。
【００１８】
前記直線案内部材は、前記第２輪の移動を案内する回転レール部を備えることを特徴とする。
【００１９】
前記回転案内部材は、前記シャフトが内部に位置するように構成された回転リングをさらに備え、該回転リングの外周には前記第２輪が結合されることを特徴とする。
【００２０】
また、複数の前記輪が、前記長空の各側に備えられることを特徴とする。
【００２１】
また、複数の前記直線レール部が、前記長空の長さ方向と平行に延設されることを特徴とする。
【００２２】
また、少なくとも一つの前記直線レール部が前記長空の各側に設けられ、該当の各直線レール部に複数の輪が備えられることを特徴とする。
【発明の効果】
【００２３】
本発明による電子レンジは、トレーを支持するようにトレーと調理室底との間に設けられ、トレーの直線往復運動方向に沿って転がり移動可能に設けられた直線案内部材が提供されるため、トレーの回転運動と直線往復運動間に相互干渉が生じなく、トレーがより円滑に直線往復運動をすることが可能になる。また、トレーと直線案内部材との間にトレーを回転運動方向に沿って転がり移動可能に支持するように設けられた回転案内部材が提供されるため、トレーの回転運動もより円滑になる効果が得られる。
【発明を実施するための最良の形態】
【００２４】
以下、本発明による好ましい実施の形態を、添付図面を参照しつつ詳細に説明する。
【００２５】
本発明による電子レンジは、図１に示すように、外形をなす本体１０と、内側空間が調理室２０を形成し、外側空間が電装室３０を形成するように本体１０の内部を区画する内部ケース１１とを備える。ここで、内部ケース１１は、その前面が開放された直方体の形状を有する。また、本体１０の前面には、調理室２０を開閉するためにヒンジ結合されるドア(図示せず)と、電子レンジの全般的な操作のために複数個の操作ボタンが設けられた操作パネル(図示せず)とが備えられる。
【００２６】
図１において調理室２０の右側に形成される電装室３０には、調理室２０内部に供給される高周波を生成するマグネトロン３１、マグネトロン３１に高電圧を印加する高圧トランス３２及び高圧コンデンサー(図示せず)、そして電装室３０内部の各部品を冷却させる冷却ファン３３などが設置され、調理室２０の内部には、調理する食べ物が置かれるように調理室２０の底に設置されるトレー２１、マグネトロン３１から放射される高周波を調理室２０の内部に案内する導波管２２などが設置される。
【００２７】
このような構成により、トレー２１上に食べ物を置いた状態で電子レンジを駆動させて調理室２０内部へ高周波を放射すると、調理室２０内部に放射された高周波により、食べ物中の水分の分子配列が反復変換しつつ生じる分子同士間の摩擦熱により調理室２０の食べ物が調理される。
【００２８】
また、本発明による電子レンジは、トレー２１を回転及び直線往復運動させてトレー２１上の食べ物に高周波がより均一に伝達されるようにする駆動装置をさらに備える。この駆動装置は、調理室２０の底中央側の内部ケース１１において左右方向に所定長さで形成された長空４１と、上端がトレー２１の下面に結合され、下端が長空４１を通って調理室２０の下部外側に延在するシャフト４２と、調理室２０の外部下側に設けられ、シャフト４２が長空４１に沿って回転及び直線往復運動するようにする駆動部４３とを備える。
【００２９】
駆動部４３は、調理室２０外側のシャフト４２の外面に形成されたピニオン４３ａと、ピニオン４３ａが噛み合うようにラック４３ｂが形成され、調理室２０の下部に固定されるガイド部材４３ｃと、シャフト４２の下端にヒンジ式に結合される第１端と、可動端となる第２端とを有する第１リンク４３ｄと、第１リンク４３ｄの第２端にヒンジ式に結合される第１端と、調理室２０下部に設置されたモーター４３ｆの回転軸に固定される第２端とを有する第２リンク４３ｅとを備えてなる。
【００３０】
このような構成により、モーター４３ｆの回転軸と共に第２リンク４３ｅが一方向に回転すると、第２リンク４３ｅの回転区間に従ってピニオン４３ａがラックに沿って正方向または逆方向に回転しつつ第１リンク４３ｄがモーター４３ｆ側に引き付けられたり、反対側に押し付けられたりし、これにより、シャフト４２は長空４１に沿って回転及び直線往復運動をし、このシャフト４２と共にトレー２１は調理室２０内で回転及び直線往復運動をするようになり、結果としてトレー２１上の食べ物はより均等に調理されることになる。
【００３１】
参考的に、上記駆動装置は、トレー２１を回転及び直線往復運動せしめる範囲内で様々な変形適用も可能である。
【００３２】
一方、図２を参照すると、トレー２１と調理室２０底との間には、トレー２１の直線往復運動をより円滑にするもので、トレー２１を支持し、また、トレー２１の直線往復運動方向に沿って転がり移動可能に設けられた直線案内部材５０が備えられ、この直線案内部材５０と調理室２０底との間には、直線案内部材５０の転がり移動を可能にする直線運動用輪５１が設置される。
【００３３】
図２に示すように、直線案内部材５０は、板状に形成され、中央部には駆動装置のシャフト４２が貫通結合される貫通穴５３が穿設され、シャフト４２の直線往復運動に際して直線案内部材５０がシャフト４２と共に直線往復運動することになる。
【００３４】
また、直線運動用輪５１は、この直線運動用輪５１を回転可能に支持するように設けられた取付部材５２がスクリューにて直線案内部材５０の下面に締め付けられることによって直線案内部材５０側にそれぞれ設置され、これにより、直線案内部材５０は、調理室２０底に線接触または点接触された状態で回転する直線運動用輪５１に支持された状態で、トレー２１と共に直線往復運動し、かつ、トレー２１を支持することができる。例えば、このような取付部材５２は、図２とは異なり、溶接作業などにて直線案内部材５０に結合しても良い。
【００３５】
したがって、トレー２１を支持しつつトレー２１と共に直線往復運動するように設けられた直線案内部材５０の構成により、トレー２１の回転運動及び直線往復運動間には干渉が生じなくなり、結果としてトレー２１のより円滑な回転及び直線往復運動が可能になる。
【００３６】
また、この直線案内部材５０は、直線運動用輪５１にて調理室２０底に点接触または線接触した状態で直線往復運動しつつトレー２１を支持するようになっており、トレー２１の直線往復運動に起因する調理室２０底側との摩擦力が大幅に低減する。
【００３７】
なお、長空４１の前方と後方側の調理室２０底には、直線運動用輪５１の移動を案内するように、長空４１の長さ方向と平行方向に直線レール部１１ａがそれぞれ設けられる。これら直線レール部１１ａは、長空４１の前方と後方側の調理室２０の底を、直線運動用輪５１の下部を収容し得るような直線溝の形態としたもので、直線運動用輪５１の移動を案内すると同時に、その離脱を防止する機能を担う。
【００３８】
また、直線運動用輪５１は複数個が提供され、各直線レール部１１ａに複数個の直線運動用輪５１が割り当てられることによって、直線案内部材５０が一側に偏ることなくバランスを維持するようにする。一方、直線レール部１１ａは、長空４１の長さ方向と平行するものなら、その本数に制限はない。
【００３９】
また、トレー２１と直線案内部材５０との間には、トレー２１の回転運動をより円滑にするもので、トレー２１を回転運動方向に沿って転がり移動可能に支持する回転案内部材６０が設けられ、この回転案内部材６０は、トレー２１と直線案内部材５０との間に回転可能に支持される回転運動用輪６１と、これら回転運動用輪６１が外周に回転可能に結合され、シャフト４２が内部に位置するようにリング形状を有する回転リング６２と、を備えてなる。回転運動用輪６１は、複数個が回転リング６２の外周に所定間隔をおいて取り付けられる。
【００４０】
また、直線案内部材５０は、上部に回転案内部材６０の離脱を防止すると同時に、回転運動用輪６１の移動を案内するための回転レール部５４が備えられ、回転レール部５４により、回転案内部材６０の動作がより安定するようになる。この回転レール部５４は、本実施形態の如く円盤状の溝形態にしても良く、回転運動用輪６１の運動方向に沿って形成されたリング状の溝形態、または当業者にとって理解可能な他の形態にしても良い。
【００４１】
以上詳細に説明した如く、本発明による電子レンジにおいては、トレー２１を支持するようにトレー２１と調理室２０底との間に設けられ、また、トレー２１の直線往復運動方向に沿って転がり移動可能に設けられた直線案内部材５０が提供されるため、トレー２１の回転運動と直線往復運動間に相互干渉が生じなくなり、トレー２１がより円滑に直線往復運動することになる。なお、トレー２１と直線案内部材５０との間に、トレー２１を回転運動方向に沿って転がり移動可能に支持する回転案内部材６０が提供されるため、トレー２１の回転運動もより円滑になる。
【００４２】
次いで、このように構成された本発明による電子レンジの動作及びその作用効果について説明する。
【００４３】
まず、モーター４３ｆの回転軸と共に第２リンク４３ｅが一方向に回転すると、第２リンク４３ｅの回転区間に従ってピニオン４３ａがラック４３ｂに沿って正方向または逆方向に回転しつつ第１リンク４３ｄがモーター４３ｆ側に引き付けられたり、反対側に押し付けられたりし、これにより、シャフト４２は長空４１に沿って回転及び直線往復運動するようになる。したがって、トレー２１は、図３及び図４に示すように、シャフト４２と共に調理室２０内において回転及び直線往復運動するようになり、このように回転及び直線往復運動をするトレー２１上の食べ物に、マグネトロン３１から調理室２０内部に放射される高周波が均一に照射され、食べ物がより均一に調理される。
【００４４】
このときに、回転及び直線往復運動するトレー２１は、調理室２０の底で転がり移動する直線案内部材５０に支持された状態で回転するため、トレー２１の回転運動と直線往復運動間に相互干渉が生じなく、トレー２１がより円滑に直線往復運動をすることが可能になる。
【００４５】
さらに、このときに、トレー２１の回転運動は、トレー２１と直線案内部材５０との間に設置されてトレー２１の回転運動方向に沿って転がり移動しつつトレー２１を支持するように設けられた回転案内部材６０により案内されるため、トレー２１の回転運動もより円滑になる。
【図面の簡単な説明】
【００４６】
【図１】本発明による電子レンジの構造を示す断面図である。
【図２】本発明による電子レンジにおいて、調理室底に設けられる直線案内部材及びトレーの分解斜視図である。
【図３】本発明による電子レンジにおいて、トレーの駆動状態を示す断面図である。
【図４】本発明による電子レンジにおいて、トレーの駆動状態を示す平面図である。
【符号の説明】
【００４７】
１０  本体
１１  内部ケース
２０  調理室
２１  トレー
２２  導波管
３０  電装室
３１  マグネトロン
３２  高圧トランス
４１  長空
４２  シャフト
４３  駆動部
５０  直接案内部材
５１  直線運動用輪
５２  取付部材
５３  貫通穴
５４  回転レール部
６０  回転案内部材
６１  回転運動用輪
６２  回転リング
【図１】
2006003068.tif 000003
【図２】
2006003068.tif 000004
【図３】
2006003068.tif 000005
【図４】
2006003068.tif 000006